(57)【特許請求の範囲】
【請求項１】
外気の熱が天井部や外壁部から内部へ入り込まないように断熱構造に仕上げた倉庫（Ｈ）において、基礎（１）と床（２）を粒状の竹炭又は木炭を混入したコンクリ−トで構成し、前記倉庫（Ｈ）内又は該倉庫（Ｈ）に隣接する外の地面を地下水（３）が湧出する深さ（Ｄ）まで掘削し、掘削穴（４）を設け、該掘削穴（４）中に、前記深さ（Ｄ）よりも所定長さだけ短く、側壁面に多数の孔（５）を設け、上面を孔あき板（６）で塞いだパイプ（７）を間隔を置いて立設し、該パイプ（７）群の上端中央部に、側壁面に多数の孔（５’）を設け、両側面を孔あき板（６’）で塞いだ逆Ｔ字状の大型パイプ（８）を配置し、前記掘削穴（４）と前記パイプ（７）の間隙部に、前記地下水（３）のレベルよりも高い位置まで、小石状の石灰石とバラスの混合材を充填し、混合材層（Ａ）を設け、該混合材層（Ａ）を除く、前記掘削穴（４）と前記パイプ（７）と前記大型パイプ（８）の間隙部に空気清浄部材を充填し、空気清浄部材層（Ｂ）を設け、前記大型パイプ（８）中にエアポンプ（９）を設置し、該エアポンプ（９）の排出口に接続した排出パイプ（１０）を前記倉庫（Ｈ）内へ導くようにしたことを特徴とする地熱を利用した低温倉庫
【発明の詳細な説明】
【技術分野】
【０００１】
本発明は地熱を利用した低温倉庫に関するものである。
【背景技術】
【０００２】
従来、地熱を利用した冷暖房システムとしては、地中に埋設した穴に、小石等からなる畜熱材を充填し、充填した畜熱材を地下水で冷却するとともに、蓄熱材の底部から空気を送り込み、地熱で冷却され又は暖められた空気を倉庫等の室内に導くというシステムが知られているが、このようなシステムでは次のような問題点があった。
【０００３】
（１）送風設備や地下水揚水設備が必要であり、設備費が嵩む。
（２）蓄熱材が汚染し、カビ等が生え、有害なカビの胞子等を室内に排出する危険性がある。
（３）蓄熱材を通過する空気は地下水等によって、湿気を含み、しっとりと湿った空気を室内に排出し、特に夏期には、室内の湿度を高め、不快感を増長する。
また、建屋の基礎や床面がコンクリ−トの場合には、基礎や床面にカビが発生し易いという問題点があった。
【特許文献１】特開平６−１３７６８９号公報
【発明の開示】
【発明が解決しようとする課題】
【０００４】
この発明は、背景技術で記述した問題点を解消するためになされたもので、基礎や床面のカビの発生を抑制でき、安価な設備費で、地熱で冷却され又は暖められた空気を、清浄な状態で倉庫内に導くことが可能な地熱を利用した低温倉庫の提供を目的とするものである。
【課題を解決するための手段】
【０００５】
この発明の地熱を利用した低温倉庫は、外気の熱が天井部や外壁部から内部へ入り込まないように断熱構造に仕上げた倉庫において、基礎と床を粒状の竹炭又は木炭を混入したコンクリ−トで構成し、前記倉庫内又は該倉庫に隣接する外の地面を地下水が湧出する深さまで掘削し、掘削穴を設け、該掘削穴中に、前記深さよりも所定長さだけ短く、側壁面に多数の孔を設け、上面を孔あき板で塞いだパイプを間隔を置いて立設し、該パイプ群の上端中央部に、側壁面に多数の孔を設け、両側面を孔あき板で塞いだ逆Ｔ字状の大型パイプを配置し、前記掘削穴と前記パイプの間隙部に、前記地下水のレベルよりも高い位置まで、小石状の石灰石とバラスの混合材を充填し、混合材層を設け、該混合材層を除く、前記掘削穴と前記パイプと前記大型パイプの間隙部に空気清浄部材を充填し、空気清浄部材層を設け、前記大型パイプ中にエアポンプを設置し、該エアポンプの排出口に接続した排出パイプを前記倉庫内へ導くようにしたことを特徴とするものである。
【発明の効果】
【０００６】
この発明は、図１に示すように、基礎１と床２が粒状の竹炭又は木炭を混合したコンクリ−トから構成され、図３に示すように、空気の通路に、小石状の石灰石とバラスからなる混合材層Ａと空気清浄部材層Ｂを備えており、混合材層Ａを空気が通過するとき湿気が除去され、さらに空気清浄部材層Ｂを通過し浄化されて、大型パイプ８に集まる地下水相当温度の空気を倉庫内に導くようになっているので、次のような効果を奏する。
（１）竹炭や木炭は抗菌作用があるので、基礎や床面のカビの発生を抑制できる。
（２）主要な機器は、小容量のエアポンプだけであるので、設備費が嵩まない。
（３）土壌部から入り込み、ほぼ地下水相当温度になっている空気は、混合材層Ａを通過するときに、湿気等の不純物が除去される。
（４）空気清浄部材層Ｂを通過するとき、さらに湿気や雑菌等が除去される。
（５）湿気や雑菌等が除去された地下水相当温度の清浄な空気を倉庫内に放出し、室内を冷暖房することができる。
【発明を実施するための最良の形態】
【０００７】
基礎や床面のカビの発生を抑制でき、安価な設備費で、地熱で冷却され又は暖められた空気を、清浄な状態で倉庫内に導くことが可能な地熱を利用した低温倉庫の提供という目的を、基礎と床に竹炭又は木炭を混合したコンクリ−トを使用するとともに、地下水相当温度の空気の通路に、混合材層と空気清浄部材層を設けることにより実現した。
【実施例】
【０００８】
この発明の実施の形態の一例を図面を参照しながら説明する。外気の熱が天井部や外壁部から内部へ入り込まないように断熱構造に仕上げた倉庫Ｈにおいて、図１に示すように、基礎１と床２を粒状の竹炭又は木炭を混入したコンクリ−トで構成している。粒状の竹炭又は木炭の混合割合は、１立方メ−トルのコンクリ−トに対して、約１００キログラムの大豆粒程度に成形した竹炭又は木炭の混入が適当である。
【０００９】
この混入によって、枯草菌、黄色ブドウ球菌などのカビの発生を抑制できるとともに、マイナスイオンの発生等が期待できる。
【００１０】
倉庫Ｈ内又は倉庫Ｈに隣接する外の地面に、図２に示すように、地下水３が湧出する深さＤまで掘削し、掘削穴４を設けている。掘削穴４の寸法については、特に制限はないが、通常は、２ｍｘ１．５ｍ程度が適当である。また、深さＤについても、特に制限はないが、海や川に近い平地であれば、通常、２．５〜３ｍ程度が適当である。なお、掘削穴４の数は、倉庫Ｈの容積に応じて、適宜選択できる。
【００１１】
図５（ａ）に示すように、深さＤよりも所定長さだけ短く、側壁面に多数の孔５を設け、上面を孔あき板６で塞いだパイプ７を、図３に示すように、掘削穴４中に、間隔を置いて立設している。本例では、１０本のパイプ７を立設した場合を示している。パイプ７の内径は、２０ｃｍ程度が適当である。
【００１２】
図５（ｂ）に示すように、側壁面に多数の孔５’を設け、両側面を孔あき板６’で塞いだ逆Ｔ字状の大型パイプ８を、図３に示すように、パイプ７群（本例では、１０本のパイプ）の上端中央部に、配置している。大型パイプ８の内径は、５０ｃｍ程度が適当である。なお、逆Ｔ字状の大型パイプ８の高さが、前記所定長さにほぼ相当する。実際には、地面への差し込み代が必要であるので、前記所定長さは、詳しくは、掘削穴４の深さＤから大型パイプ８の高さを差し引き、前記差し込み代を加算した値になる。
【００１３】
掘削穴４とパイプ７の間隙部に、地下水３のレベルよりも高い位置まで、小石状の石灰石とバラスの混合材を充填し、図３に示すように、混合材層Ａを設けている。
なお、混合材は、大きさ３〜５ｃｍの石灰石５０％（容積％、以下同じ。）と川から採集した大きさ３〜５ｃｍのバラス５０％を混合して構成されている。石灰石は抗菌作用があるので、地下水３のレベル近辺に位置するパイプ７のカビの発生を防止するとともに、通過する空気中の湿気を除去する。
【００１４】
混合材層Ａを除く、掘削穴４とパイプ７と大型パイプ８の間隙部に空気清浄部材を充填し、図３に示すように、空気清浄部材層Ｂを設けている。なお、空気清浄部材は、大きさ３〜５ｃｍの石灰石３０％（容積％、以下同じ。）、大きさ３〜６ｃｍの竹炭３０％、大きさ１〜３ｃｍの珊瑚２０％及び団子状の珪藻土２０％を混合して構成されている。したがって、空気清浄部材は、殺菌・消毒、湿気除去、竹炭によるマイナスイオンの放出等の作用効果を奏し、通過する空気中の雑菌や湿気を除去し、空気を清浄にする。
【００１５】
大型パイプ８中にエアポンプ９を設置し、エアポンプ９の排出口に接続した排出パイプ１０を倉庫内へ導いている。
【００１６】
したがって、エアポンプ９を作動すると、図３において、矢印で示すような空気の流れが発生し、浄化された地下水相当の空気は、パイプ７を経由して、大型パイプ８に集められ、エアポンプ９の吸入口に吸い込まれ、排出パイプ１０を経由して、倉庫Ｈ内に放出される。
【００１７】
本例では、倉庫Ｈの外に掘削穴４を設けた場合を示したが、倉庫Ｈ内に、掘削穴４を設ける場合には、通常、二重扉になっている外扉と内扉の間の土間に設ける。
【００１８】
なお、図３において、１１はマンホ−ルの蓋、１２はコンクリ−ト床である。なお、エアポンプ９の排出パイプ１０から、夏期において、地上温度よりも５〜１０℃程度低い清浄空気を倉庫内に放出でき、冬期においては、地上温度よりも２〜５℃程度高い清浄空気を倉庫Ｈ内に放出でき、倉庫Ｈ内の温度を年間を通じて、１５〜２０℃に維持することができる。
【産業上の利用可能性】
【００１９】
地下水相当温度の清浄な空気を室内に放出できるので、空気の汚染に敏感なアレルギ−体質の人がいる家庭の冷暖房システムとしての用途が可能である。
【図面の簡単な説明】
【００２０】
【図１】倉庫の概略断面図
【図２】掘削穴の断面図
【図３】掘削穴に各部材を装着した状態を示す概略断面図
【図４】掘削穴中のパイプの配置状態を示す概略平面図
【図５】パイプの概略斜視図
【符号の説明】
【００２１】
１ 基礎
２ 床
３ 地下水
４ 掘削穴
５，５’孔
６，６’孔あき板
７ パイプ
８ 逆Ｔ字状の大型パイプ
９ エアポンプ
１０ 排出パイプ
１１ マンホ−ルの蓋
１２ コンクリ−ト床
Ａ 混合材層
Ｂ 空気清浄部材層
Ｈ 倉庫
【要約】
【課題】基礎や床面のカビの発生を抑制でき、安価な設備費で、地熱で冷却され又は暖められた空気を、清浄な状態で倉庫内に導くことが可能な地熱を利用した低温倉庫の提供
【解決手段】この発明の地熱を利用した低温倉庫は、基礎１と床２を粒状の竹炭又は木炭を混入したコンクリ−トで構成し、倉庫Ｈ内又は倉庫Ｈに隣接する外の地面を地下水３が湧出する深さＤまで掘削し掘削穴４を設け、掘削穴４に、側壁面に多数の孔５を設けたパイプ７を間隔を置いて立設し、パイプ７群の上端中央部に、側壁面に多数の孔５を設けた逆Ｔ字状の大型パイプ８を配置し、掘削穴４とパイプ７の間隙部に、地下水３のレベルよりも高い位置まで、混合材層Ａを設け、混合材層Ａを除く、掘削穴４とパイプ７と大型パイプ８の間隙部に空気清浄部材層Ｂを設け、大型パイプ８中にエアポンプ９を設置し、エアポンプ９の排出パイプ１０を倉庫Ｈ内へ導いている。
【選択図】図３
【図１】
0003550146.tif 000002
【図２】
0003550146.tif 000003
【図３】
0003550146.tif 000004
【図４】
0003550146.tif 000005
【図５】
0003550146.tif 000006